(57)【要約】エレベーターの荷重負担アセンブリー（２０）はジャケット（２４）内の複数のコード（２２）を含む。ジャケットはベルトアセンブリーの長さに沿って間隔を置く複数の溝（３２、３４、３６、３８、４０）を有する。各々の溝はベルト（２０）の長手軸（４８）に関して傾斜角（Ａ、Ｂ）をもって整列する複数の部分（５０、５２、５４、５６）を有する。一つの実施例では溝は隣接する溝の間に長手方向の重なりがないように離されている。他の実施例では斜めに整列する部分の間の遷移点（６０、６４）がベルト上の異なる長手方向の位置にある。他の実施例は異なる長手方向位置と重なりのない溝構成との組み合わせを含む。
2006520728.tif 000002
【特許請求の範囲】
【請求項１】
ベルトの長手軸にほぼ平行に整列する複数のコードと、
該コードを覆うジャケットと、
からなるエレベーターベルトであって、
上記ジャケットはその少なくとも一つの面に複数の溝を含み、各々の溝はベルト軸に関して傾斜した角度にある複数の部分を有し、
上記ジャケットは、
隣接する溝がベルト上の長手方向の位置の反対側にあるように離間されているところの溝、または、
隣接する部分の間に遷移点を有し、各々の溝がベルト上の異なる長手方向の位置にある複数の遷移点を有するところの溝、
の少なくとも一つを含むことを特徴とする、エレベーターベルト。
【請求項２】
隣接する溝がベルト上の長手方向の位置の反対側にあるように、溝が離間されていることを特徴とする、請求項１記載のエレベーターベルト。
【請求項３】
長手方向の位置がベルトの軸を横切る線に沿って伸びることを特徴とする、請求項２記載のエレベーターベルト。
【請求項４】
全ての溝の全ての部分が、長手方向の位置に関して全ての隣接する溝の全ての部分とは反対側にあることを特徴とする、請求項２記載のエレベーターベルト。
【請求項５】
各々の溝の全ての部分が同じ傾斜角を有することを特徴とする、請求項２記載のエレベーターベルト。
【請求項６】
少なくとも第一の部分が第一の傾斜角を有し、少なくとも第二の部分が第二の傾斜角を有することを特徴とする、請求項２記載のエレベーターベルト。
【請求項７】
各々の溝が隣接する上記部分の間に遷移点を有し、少なくとも二つの遷移点がベルト上の異なる長手方向位置にあることを特徴とする、請求項６記載のエレベーターベルト。
【請求項８】
各々の溝が、第一の傾斜角をもって長手方向に伸びる第一の部分と、上記第一の部分に隣接して上記第一の傾斜角をもって反対方向に長手方向に伸びる第二の部分と、上記第二の部分に隣接して上記第二の傾斜角をもって上記第二の部分とは反対方向に長手方向に伸びる第三の部分と、上記第三の部分に隣接して上記第二の傾斜角をもって上記第三の部分とは反対方向に長手方向に伸びる第四の部分とを含むことを特徴とする、請求項６記載のエレベーターベルト。
【請求項９】
各々の隣接する部分の間に遷移点を含み、かつ各々の遷移点が他の遷移点とは異なる長手方向の位置にあることを特徴とする、請求項８記載のエレベーターベルト。
【請求項１０】
各々の溝が隣接する部分の間に遷移点を有し、かつ各々の溝がベルト上の異なる長手方向位置にある複数の遷移点を有することを特徴とする、請求項１記載のエレベーターベルト。
【請求項１１】
少なくとも第一の部分が第一の傾斜角を有し、少なくとも第二の部分が第二の傾斜角を有することを特徴とする、請求項１０記載のエレベーターベルト。
【請求項１２】
各々の溝が、第一の傾斜角をもって長手方向に伸びる第一の部分と、上記第一の部分に隣接して上記第一の傾斜角をもって反対方向に長手方向に伸びる第二の部分と、上記第二の部分に隣接して第二の傾斜角をもって上記第二の部分とは反対方向に長手方向に伸びる第三の部分と、上記第三の部分に隣接して上記第二の傾斜角をもって上記第三の部分とは反対方向に長手方向に伸びる第四の部分とを含むことを特徴とする、請求項１１記載のエレベーターベルト。
【請求項１３】
各々の溝が隣接する部分の間に遷移点を有し、かつ遷移点が曲線状であることを特徴とする、請求項１記載のエレベーターベルト。
【請求項１４】
選択された垂直方向に移動可能なかごと、
少なくとも一つの滑車と、
上記滑車に少なくとも部分的に巻き付いており、上記かごが選択された方向に移動するときに上記滑車の周りで移動する複数のベルトと、
を有するエレベーターシステムであって、
各々のベルトはベルトの長手軸にほぼ平行に整列する複数のコードと、上記コードを覆うジャケットと、を有し、
上記ジャケットは、その少なくとも一つの面に複数の溝を含み、各々の溝は上記ベルト軸に関して傾斜した角度にある複数の部分を有し、各々の溝は隣接する部分の間に少なくとも一つの遷移点を有し、第一のベルト上の遷移点が第二のベルト上の遷移点とは異なる長手方向の位置にあることを特徴とする、エレベーターシステム。
【請求項１５】
第一のベルト上の部分の傾斜角が第二のベルト上の部分の傾斜角とは異なることを特徴とする、請求項１４記載のシステム。
【請求項１６】
上記第一のベルト上の各々の溝は、第一の傾斜角をもって長手方向に伸びる第一の部分と、上記第一の部分に隣接して上記第一の傾斜角をもって反対方向の長手方向に伸びる第二の部分とを含み、上記第二のベルト上の各々の溝は、第二の傾斜角をもって上記第二の部分とは反対方向に長手方向に伸びる第三の部分と、上記第三の部分に隣接して上記第二の傾斜角をもって上記第三の部分とは反対方向に長手方向に伸びる第四の部分とを含むことを特徴とする、請求項１５記載のシステム。
【請求項１７】
少なくとも一つのベルト上の遷移点が曲線状であることを特徴とする、請求項１４記載のシステム。
【請求項１８】
少なくとも一つのベルト上の溝は、隣接する溝が隣接する溝の間の長手方向位置の反対側にあるように離間されていることを特徴とする、請求項１４記載のシステム。
【請求項１９】
全ての溝の全ての部分が、長手方向の位置に関して全ての隣接する溝の全ての部分とは反対側にあることを特徴とする、請求項１８記載のエレベーターベルト。
【発明の詳細な説明】
【技術分野】
【０００１】
本発明は一般的にエレベーターシステムに用いられる荷重負担部材に関する。より具体的には、本発明は特殊な溝構成を有するエレベーターベルトアセンブリーに関する。
【背景技術】
【０００２】
エレベーターシステムは通常、昇降路内で移動するかごとカウンターウエイトとを含み、例えば建物の異なる階の間で乗客または貨物を輸送する。ロープまたはベルトなどの荷重負担部材が通常、一揃いの滑車上で移動しつつかごおよびカウンターウエイトの重量を支持する。エレベーターシステムに用いられる荷重負担部材には種々の形式がある。
【０００３】
荷重負担部材の一つの形式は被覆されたスチールベルトである。通常の構成はベルトアセンブリーの長さに沿って伸びる複数のスチールコードを含む。コード上にジャケットが付与されてベルトアセンブリーの外面を形成する。一部のジャケット付与プロセスにおいては結果的に、ベルトアセンブリーの少なくとも一つの側のジャケット表面に溝が形成される。また一部のプロセスにおいては、ベルトの長さにわたってジャケットの外面に関するスチールコードの位置に乱れや不規則性が生じる。
【０００４】
例えば、図７はこれらの両方の現象を図示している。ジャケット２００の外面とコード２１０との間の距離がベルトの長さにわたって変動しているのがわかる。図からわかるように、コード２１０はジャケット内で、溝の間隔に相当する一連の等しい長さのコードセグメントを形成するかのように設置されている。図７は説明のために、通常の物理的なコードの設置状態について誇張している。一部の例においては、ジャケット外面に関するコードの位置の乱れや変化は肉眼で見分けられない。
【０００５】
従来のジャケット付与プロセスが用いられる場合は、ジャケット付与プロセス中にコードを支持する方法によって、ジャケット外面に関するコードの位置や形状のこのような乱れがベルトの長さにわたって生じやすい。
【０００６】
このような構成は有用であることがわかっているが、さらに改良が必要である。このようなベルトアセンブリーに関連する一つの特定の問題は、ベルトがエレベーターシステム中で移動するときに、ジャケット内の溝およびコードの位置が滑車などの他のシステム構成部品と相互作用して、望ましくない騒音、振動、またはこれらの両方を発生することである。例えばベルトアセンブリーが一定速度で移動する場合は、溝と滑車との定常周波数の接触が不快な可聴音を発生する。コードとジャケット外面との間の距離変化の繰り返されるパターンはこのような騒音発生を助長すると考えられている。
【０００７】
エレベーターシステムの運転中における振動または不快音の発生を低減または除去するための別の構成が求められている。本発明はこの要求に対処されたものである。
【発明の開示】
【課題を解決するための手段】
【０００８】
一般的に言えば本発明はエレベーターシステムに用いられるベルトアセンブリーである。ベルトアセンブリーは一般にベルトの長手軸に平行に伸びる複数のコードを含む。コードを覆うジャケットはエレベーター運転中の不快な可聴音の発生を低減するような形状および間隔を有する複数の溝を含む。
【０００９】
本発明によって設計された一つの実施例のベルトはジャケットの少なくとも一つの面に複数の溝を含む。各々の溝はベルトの軸に対して傾斜した角度に整列した複数の部分を含む。各々の溝は隣接する部分の間に遷移点を含む。各々の溝は複数のこのような遷移点を有し、各々の遷移点はベルト上で異なる長手方向の位置にある。
【００１０】
一つの実施例では、遷移点の異なる長手方向の位置は溝の異なる部分に異なる傾斜角を用いることによって達成される。異なる長手方向の位置に遷移点を有することによってエレベーターシステム中のベルトと滑車との間で、騒音を発生させる衝撃が低減される。
【００１１】
本発明によって設計された他の実施例のベルトはジャケットの少なくとも一つの面に複数の溝を含む。各々の溝はベルトの軸に対して傾斜した角度に整列した複数の部分を含む。溝は、隣接する溝がベルト上の長手方向位置の異なる側にあるように間隔が置かれている。
【００１２】
一つの実施例では、隣接する溝はベルトの軸を横切って伸びる仮想の線の反対側にある。このような溝の間の間隔によって溝の任意の部分と、隣接する溝との間の重なりが避けられる。溝の間にこのような間隔を保つことによって、エレベーターシステムの運転中にベルトが滑車の一部に巻き付く際の、溝と滑車との間の衝撃に関連する騒音発生エネルギーが低減される。
【００１３】
一つの実施例では溝は長手方向に離間しており、溝の間の間隔はベルトの長さにわたって変化する。隣接する溝の間に異なる間隔を有することによって、溝と他のシステム構成部品との間の定常周波数の接触が避けられる。この定常周波数の接触は、エレベーター運転中の望ましくない騒音や振動の可能性を大いに助長する。
【００１４】
本発明によって設計されたベルトアセンブリーは、発明による溝の間の間隔、発明による溝セグメントの角度付きの整列、または両者の組み合わせを含んでよい。本発明の様々な特徴と利点とは、以下における現在において好ましい実施例の詳細な説明から、当業者にとって明らかとなろう。詳細な説明に付属する図面の簡単な説明は下記の通りである。
【発明を実施するための最良の形態】
【００１５】
図１および図２はエレベーターシステム用に設計されたベルトアセンブリー２０を概略的に図示している。複数のコード２２がベルトアセンブリー２０の長手軸におおよそ平行に整列している。一つの実施例では、コード２２はスチールワイヤーのストランドでできている。
【００１６】
ジャケット２４がコード２２を覆っている。ジャケット２４は好ましくはポリウレタンベースの材料からなる。種々のこのような材料が市販されており、エレベーターベルトアセンブリーに有用であることが業界に知られている。この説明を読めば、当業者はその特定の場合の要求に合致する適当なジャケット材料を選択することができよう。
【００１７】
ジャケット２４はベルトアセンブリー２０の外形の長さＬ、幅Ｗ、および厚さｔを規定する。一つの実施例では、ベルトアセンブリーの幅Ｗは６０ミリメートルであり、厚さｔは３ミリメートルであり、長さＬはベルトが設置される特定のシステムによって決定される。同じ実施例において、コード２２の直径は１．６５ミリメートルである。この実施例では２４本のコードがある。好ましくはコード２２はアセンブリーの全長Ｌにわたって伸びる。
【００１８】
ジャケット２４はジャケット２４の少なくとも一つの側に複数の溝３０、３２、３４、３６、３８、４０、および４２を含む。
【００１９】
溝は一部の製造プロセスの結果生ずるものである。これらの製造プロセスの多くは業界周知であり、ベルトアセンブリー２０を形成するのに適している。図２から最もよくわかるように、溝はジャケット２４の外面と、同じジャケット外面を向いたコード２２の面との間に伸びている。図示された実施例において、溝はベルトの全幅にわたって伸びている。
【００２０】
図１および図３を参照すれば、この実施例はおおよそＷ字型をした溝を有する。各々の溝はベルトの長手軸４８に関して傾斜した角度をもって整列した部分を有する。溝３４を例に取れば、第一の部分５０は傾斜角Ａで第一の長手方向に伸びている。第二の部分５２は傾斜角Ａで反対の長手方向に伸びている。第三の部分５４は第一の部分５０と同じ方向に、ただし第二の傾斜角Ｂで伸びている。第四の部分５６は第二の傾斜角Ｂで反対の長手方向に伸びている。
【００２１】
一つの実施例において角度Ａは約５０°である。同じ実施例において角度Ｂは約５３．５°である。溝の異なる部分に異なる傾斜角を用いることによって、斜めに整列した各部分の間の遷移点を戦略的に位置させることが可能になる。
【００２２】
例えば図３の溝３４は第一の遷移点６０、第二の遷移点６２、および第三の遷移点６４を有する。各々の遷移点は隣接する二つの斜めに整列した溝の部分を接続している。第一の傾斜角Ａが第二の傾斜角Ｂと異なるので、遷移点６０の長手方向の位置は遷移点６４の長手方向の位置とは異なる。ここに用いられる「長手方向の位置」はベルトの長さにわたる（すなわち軸４８に平行な方向での）ベルト上の位置を意味する。
【００２３】
例えばベルト軸４８を横切ってベルトの幅にわたって伸びる線７０と遷移点６０との間の距離と、線７０と遷移点６４との間の距離とは異なる。この実施例では遷移点６０は遷移点６４よりも線７０に近い。なぜならば角度Ａは角度Ｂよりも小さいからである。線７０は説明のために入れられたもので、ベルト上の物理的な線を意味しない。
【００２４】
遷移点を異なる長手方向の位置に保つことによって溝の二つの半分の位相が効果的にずらされる。遷移点の位相がずれることによって遷移点と滑車との間の接触に関連するエネルギーが相殺される傾向になる。したがって本発明の構成はエレベーターシステムの振動および騒音を低減する。
【００２５】
図示された実施例に示されるように、遷移点は基本的に溝にわたるピークである。この実施例では各遷移点は曲線状である。傾斜角をもって反対方向に伸びる溝の二つの部分の間に曲線状の遷移点を有することによって、エレベーターシステムにおいて溝が滑車に接触することに関連する、振動や騒音を発生する衝撃エネルギーが低減される。
【００２６】
図３からわかるように、図示された実施例において部分５０、５２、５４、および５６はその長さの大部分にわたって直線状である。直線状の部分は所望の溝形状にしたがって選択された傾斜角または二つ以上の傾斜角を有して整列している。本発明は真に直線状の各部分を有するベルトに限定されるものではない。一つの実施例のアセンブリーにおいては各部分は少なくともある程度曲線状であり、好ましくはこのような曲線状の各部分の接線が、ベルト軸に関して選択された傾斜角を有する。
【００２７】
図３の実施例では隣接する溝の間の間隔７２（すなわちそれぞれ溝３２と溝３４との間、溝３４と溝３６との間、および溝３６と溝３８との間）は、隣接する溝の任意の部分との間に重なりがないように、選択されている。線７０をベルト２０上の長手方向の位置の指標と見なせば、溝３６と３８とは線７０の反対側にある。したがって溝３６の任意の部分と溝３８の任意の部分との間に重なりはない。溝３６全体が溝３８全体から長手方向に離間しているようにすることによって、エレベーターシステムの運転中に溝が滑車に接触することに関連する、振動や騒音を発生する衝撃エネルギーが低減される。
【００２８】
溝の間の間隔７２は、好ましくはベルトの全長にわたって隣接する溝の間の重なりを防ぐ。ある実施例では間隔７２がベルトの全長にわたって一定であってよい。他の実施例では、後に述べるように溝の間の間隔７２が選択されたパターンにしたがって変化する。
【００２９】
遷移点の長手方向の位置が相違すること、および隣接する溝の間に長手方向の重なりがないことに加えて、本発明によって設計されたベルトは振動および騒音を低減する他の特徴を有してよい。例えば図４は一つの実施例の溝形状を示しており、この場合溝とジャケット２４の外面との間の境界が丸められた縁部、または面取り部７４を有する。このような丸められた縁部７４を用いることによって、エレベーターシステムにおいて溝が滑車に接触することに関連する、振動や騒音を発生する衝撃エネルギーが低減される。この実施例では、面取り部７４の曲率半径は０．０５ないし０．１５ミリメートルの範囲にある。
【００３０】
図４の実施例では溝３８の側壁７６はジャケット２４の外面から、コード２２の表面に隣接する溝の底部７８まで伸びている。この実施例では側壁７６と底部７８との交線は面取り部７４と同じ曲率半径を有する丸められた面を含む。
【００３１】
一つの実施例では面取り部７４と、側壁と底部７８と間の遷移点とに０．１ミリメートルの曲率半径が用いられる。一つの実施例の構成では側壁７６は約３０°の角度Ｃをもって構成される。一つの実施例の溝高さは０．７ミリメートルであり、一つの実施例の溝幅Ｓは０．７ミリメートルである。
【００３２】
一部の実施例では、溝の形状はベルトの製造プロセスで用いられるコード支持体の形状によって決定される。本明細書を利用する当業者は、エレベーターベルトのジャケットを製造するのに用いられる市販の材料の中から選択することができよう。またその特定の場合の要求に合致する所望の溝形状を達成するための製造設備、またはその他の溝形成設備を設計することができよう。
【００３３】
図５は本発明によって設計された他の実施例のベルト２０を示している。この実施例では、各々の溝は長手方向に対し反対向きに同じ傾斜角Ａで伸びる二つの部分８０および８２を有するのみである。単一の遷移点８４が部分８０および８２を接続している。この実施例では二つの部分８０および８２がいずれも同じ傾斜角Ａで伸び、遷移点８４はベルトの長手軸と一致する中心線８５に整列している。もちろん、他の形状も本発明の範囲内にある。
【００３４】
この実施例では、隣接する溝の間の間隔８６は隣接する溝がベルト２０上の長手方向の位置の反対側にあるように選択される。例えば線８８は長手方向の位置を示しており、これはベルトの軸８５を横切って引かれている。一つの実施例では、このような線を隣接する溝の一対ごとに引くことができ、各々の溝はこのような線の反対側にあるので、溝の間に長手方向の重なりがない。長手方向の重なりを避けるように溝を構成することによって、エレベーターシステムにおいて溝と滑車表面との間の衝撃に関連するエネルギーが低減される。
【００３５】
一つの実施例では、図５に示されるような実施例が約３０ミリメートルの幅Ｗを有するベルトに用いられ、図３に示されるような形状が約６０ミリメートルの幅Ｗを有するベルトに用いられる。ベルト幅の選択は、一つには、ベルトが用いられるエレベーターシステムに予想される積載荷重に依存する。
【００３６】
図６は本発明によって設計されたエレベーターベルトを製造する一つの実施例の製造方法を示している。例えば図３に示される様な溝形状を有する６０ミリメートル幅のベルト９０が、切断装置９２を用いてベルトの長手軸に沿って二つに切断される。例えば図５に示されるような形状を有する二つのベルト９４および９６が生じる。このエレベーターベルト製造の方法によれば、例えば６０ミリメートル幅と３０ミリメートル幅のベルトを同じ製造装置を用いて製造することができる。
【００３７】
本発明によって設計されたベルトを含む一つの実施例のエレベーターシステムは、滑車上を同時に移動する複数の平行なベルトを含む。この実施例における複数のベルトは傾斜角を有する溝部分を含み、その角度は少なくとも二つのベルトについて異なる。ベルトに異なる傾斜角を与えることによって、一つのベルト上の遷移点を他のベルト上の遷移点とは異なる長手方向の位置に保つという利点が得られる。このような長手方向の位置取りによって、異なる傾斜角を有する少なくとも二つのベルトの位相が効果的にずらされる。位相がずれた遷移点を有することによって、一つのベルト上の遷移点と滑車との接触に関連するエネルギーが、他のベルトと滑車とのこのような接触に関連するエネルギーを効果的に打ち消す。
【００３８】
一つの実施例では、各々のベルトが他のベルトとは異なる傾斜角の溝部分を有する。他の実施例では同じ傾斜角がベルトに用いられるが、各ベルトはシステム中で互いに関して、一つのベルト上の溝遷移点が少なくとも他の一つのベルト上の溝遷移点とは異なる長手方向位置にあるように整列される。
【００３９】
本発明の一部の実施例によって設計されたベルトの、振動および騒音を低減するその他の特徴は、溝を異なる距離をもって隔てること、すなわち異なる溝の間に異なる間隔があるようにすることを含む。例えば図２を参照すれば、第一の間隔１４４が溝３０を隣接する溝３２から隔てている。異なる間隔１４６が溝３２を隣接する溝３４から隔てている。同様に、間隔１４８、１５０、１５２、１５４の少なくとも一部は寸法が異なっている。
【００４０】
しかしながら図示された全ての間隔が異なる必要はない。ベルトアセンブリーの長さにわたって、少なくとも数種の異なる間隔が与えられることが好ましい。実際問題として、変化する間隔の繰り返しパターンが、通常、ベルトアセンブリー２０の全長にわたって伸びる。ベルトアセンブリーの特性、およびジャケット２４を形成して付与するために用いられる設備の特性に依存して、異なる間隔のパターンが異なる周期で繰り返される。好ましくは繰り返しパターンの周期は製造設備の許す限り長く取られる。一つの実施例では、異なる間隔の選択されたパターンが溝５０個ごとに、あるいはベルト長さ２メートルごとに繰り返される。２メートルの区間の内部では、隣接する溝の間の間隔は変化しつつ非周期的であるように選択される。
【００４１】
一つの実施例においては、溝の間の間隔は１３．３５ミリメートル、１２．７ミリメートル、および１１．８ミリメートルに選択される。このような間隔が好ましくは５０個の溝を含むベルト長さにわたって非周期性、非反復性のパターンをなして用いられる。一つの実施例では、ベルト製造装置によって形成されるパターンは４７番目の溝ごとに繰り返される。他の実施例においては、間隔は１１．２ミリメートル、１２．１ミリメートル、および１２．７ミリメートルから選択される。本明細書を利用する当業者は、その特定の場合の要求に合致する所望の円滑さと静かさのレベルを達成するための、適当な溝間隔を選択することができよう。
【００４２】
一つの実施例では、選択された間隔の寸法およびパターンを決定するのにモデリングが用いられる。溝の効果は外乱エネルギーの入力に近似する複雑な波形によって特徴づけられる。一つの実施例では、複雑な波形はベルトの挙動をサンプリングして、サンプリングされたベルト挙動に対応する適当な関数を解明することによって決定される。この入力関数は各々のコードを（すなわち隣接する溝の間の各々のベルトセグメントを）包含する。コードの相対的な位相に基づいて関数が合計される。総計エネルギーは各々のコードの寄与の合計である。したがってコードの位相（すなわち溝の間の間隔）が総計の大きさを決定する。高速フーリエ解析によってベルトに起因する相対的な総計エネルギーレベルが推定される。
【００４３】
隣接する溝の間の間隔を変えることによって、システム運転中のベルトアセンブリーと滑車などの他のシステム構成部品との接触に起因する騒音成分が、より広い周波数範囲に分散される。このようにして騒音の定常周波数が避けられ、これによって不快な可聴音の可能性が除去される。
【００４４】
溝の間の間隔を変化させることに加えて、本発明の構成はある種の製造技術（ただし本発明の構成に必ずしも必須ではない）に起因するコード「セグメント」の長さを変化させる可能性を提供する。本発明によって設計されたベルトアセンブリーは一連のコードセグメントを含んでもよく、該コードセグメントにわたってコードとジャケット外面との間の距離が変化する。このようなコード「セグメント」の末端部は溝の位置と一致する。溝の間隔を変化させることによってセグメントの長さも変化し、したがってジャケット外面に関するコード位置のパターンも変化する。本発明の技術を用いる一部の実施例において、コードセグメントの長さはベルトの長さにわたって変化する。
【００４５】
隣接する溝の間に伸びるコードセグメントの長さが多様であるから、ジャケット外面に関するコード位置のパターンには周期性や反復性がない。コードセグメントの長さを変えることによって（すなわちジャケット外面に関するコード位置における類似した撓みの間の距離を変えることによって）コード位置に起因する騒音または振動への影響は低減または除去される。コード位置の周期性を除去することによって、本発明はエレベーターシステム運転中の振動および騒音の発生を低減する有意な利点を提供する。
【００４６】
これまでの説明は限定的というよりは例示的な性格のものである。開示された実施例に対する、本発明の主旨から必ずしも逸脱しない変形と改良とが、当業者にとって明らかとなろう。本発明に与えられる法的保護は、特許請求の範囲を検討することによってのみ決定されるべきである。
【図面の簡単な説明】
【００４７】
【図１】図１は本発明の実施例によって設計されたベルトアセンブリーの一例の一部分を示す概略図である。
【図２】図２は図１中の線２−２で切った断面図である。
【図３】図３は図１の実施例の溝構成の概略平面図であり、選択された幾何学的特徴を示している。
【図４】図４は図１に円で示された部分の拡大図であり、溝の断面形状の一例を概略的に図示している。
【図５】図５は別の溝構成の概略図である。
【図６】図６は本発明の実施例によって設計されたベルトの製造方法の概略図である。
【図７】図７は先行技術によるベルトジャケットの外面に関する典型的なコード位置の概略図である。
【図１】
2006520728.tif 000003
【図２】
2006520728.tif 000004
【図３】
2006520728.tif 000005
【図４】
2006520728.tif 000006
【図５】
2006520728.tif 000007
【図６】
2006520728.tif 000008
【図７】
2006520728.tif 000009
【手続補正書】
【提出日】平成16年9月7日(2004.9.7)
【手続補正１】
【補正対象書類名】特許請求の範囲
【補正対象項目名】全文
【補正方法】変更
【補正の内容】
【特許請求の範囲】
【請求項１】
エレベーターかごに関連した重量を支持し、かつ、上記エレベーターかごを移動させるように動く滑車に少なくとも部分的に巻き付いたエレベーターベルトであって、
上記エレベーターかごに関連した上記重量を支持し、かつ、上記ベルトの長手軸にほぼ平行に整列した複数のコードと、
該コードを覆うジャケットと、
を含み、かつ、
上記ジャケットは、上記滑車に接触する少なくとも一つの面に複数の溝を含み、各々の溝は上記ベルト軸に関して傾斜した角度にある複数の部分を有し、
上記溝が上記ベルト上の長手方向の位置の反対側にあるように離間されていることを特徴とする、エレベーターベルト。
【請求項２】
上記ベルトは、上記ベルトの一方の側縁部と上記ベルトの他方の側縁部との間で上記長手軸にほぼ直交する方向に伸びる幅を有し、かつ、各々の溝が上記幅の全長にわたって伸びることを特徴とする、請求項１記載のエレベーターベルト。
【請求項３】
上記長手方向の位置が上記長手軸を横切る線に沿って伸びることを特徴とする、請求項１記載のエレベーターベルト。
【請求項４】
全ての溝の全ての部分が、上記長手方向の位置に関して全ての隣接する溝の全ての部分とは反対側にあることを特徴とする、請求項１記載のエレベーターベルト。
【請求項５】
各々の溝の全ての部分が同じ傾斜角を有することを特徴とする、請求項１記載のエレベーターベルト。
【請求項６】
少なくとも第一の部分が第一の傾斜角を有し、少なくとも第二の部分が第二の傾斜角を有することを特徴とする、請求項１記載のエレベーターベルト。
【請求項７】
各々の溝が隣接する上記部分の間に遷移点を有し、少なくとも二つの遷移点がベルト上の異なる長手方向位置にあることを特徴とする、請求項６記載のエレベーターベルト。
【請求項８】
各々の溝が、第一の傾斜角をもって長手方向に伸びる第一の部分と、上記第一の部分に隣接して上記第一の傾斜角をもって反対方向に長手方向に伸びる第二の部分と、上記第二の部分に隣接して上記第二の傾斜角をもって上記第二の部分とは反対方向に長手方向に伸びる第三の部分と、上記第三の部分に隣接して上記第二の傾斜角をもって上記第三の部分とは反対方向に長手方向に伸びる第四の部分とを含むことを特徴とする、請求項６記載のエレベーターベルト。
【請求項９】
各々の隣接する部分の間に遷移点を含み、かつ各々の遷移点が他の遷移点とは異なる長手方向の位置にあることを特徴とする、請求項８記載のエレベーターベルト。
【請求項１０】
各々の溝が隣接する部分の間に遷移点を有し、かつ上記遷移点が曲線状であることを特徴とする、請求項１記載のエレベーターベルト。
【請求項１１】
ベルト長手軸にほぼ平行に整列された複数のコードと、
該コードを覆うジャケットと、
を含むエレベーターベルトであって、
上記ジャケットは上記ジャケットの少なくとも一つの面に複数の溝を含み、各々の上記溝はベルト軸に関して傾斜した角度にある複数の部分を有しつつ隣接する部分の間で遷移点を有し、各々の溝は複数の上記遷移点を有し、これらの遷移点は上記ベルトの異なる長手方向の位置にあることを特徴とする、エレベーターベルト。
【請求項１２】
少なくとも第一の部分が第一の傾斜角を有し、少なくとも第二の部分が第二の傾斜角を有することを特徴とする、請求項１１記載のエレベーターベルト。
【請求項１３】
各々の溝が、第一の傾斜角をもって長手方向に伸びる第一の部分と、上記第一の部分に隣接して上記第一の傾斜角をもって反対方向に長手方向に伸びる第二の部分と、上記第二の部分に隣接して第二の傾斜角をもって上記第二の部分とは反対方向に長手方向に伸びる第三の部分と、上記第三の部分に隣接して上記第二の傾斜角をもって上記第三の部分とは反対方向に長手方向に伸びる第四の部分とを含むことを特徴とする、請求項１２記載のエレベーターベルト。
【請求項１４】
上記遷移点が曲線状であることを特徴とする、請求項１１記載のエレベーターベルト。
【請求項１５】
上記ベルトは、上記ベルトの一方の側縁部と上記ベルトの他方の側縁部との間で上記長手軸にほぼ直交する方向に伸びる幅を有し、かつ、各々の溝が上記幅の全長にわたって伸びることを特徴とする、請求項１１記載のエレベーターベルト。
【請求項１６】
隣接する溝が上記ベルト上の長手方向の位置の反対側にあるように、溝が離間されていることを特徴とする、請求項１１記載のエレベーターベルト。
【請求項１７】
選択された垂直方向に移動可能なかごと、
少なくとも一つの滑車と、
上記滑車に少なくとも部分的に巻き付いており、上記かごが選択された方向に移動するときに上記滑車の周りで移動する複数のベルトと、
を有するエレベーターシステムであって、
各々のベルトはベルトの長手軸にほぼ平行に整列する複数のコードと、上記コードを覆うジャケットと、を有し、
上記ジャケットは、その少なくとも一つの面に複数の溝を含み、各々の溝は上記ベルト軸に関して傾斜した角度にある複数の部分を有し、各々の溝は隣接する部分の間に少なくとも一つの遷移点を有し、第一のベルト上の遷移点が第二のベルト上の遷移点とは異なる長手方向の位置にあることを特徴とする、エレベーターシステム。
【請求項１８】
第一のベルト上の部分の傾斜角が第二のベルト上の部分の傾斜角とは異なることを特徴とする、請求項１７記載のシステム。
【請求項１９】
上記第一のベルト上の各々の溝は、第一の傾斜角をもって長手方向に伸びる第一の部分と、上記第一の部分に隣接して上記第一の傾斜角をもって反対方向の長手方向に伸びる第二の部分とを含み、上記第二のベルト上の各々の溝は、第二の傾斜角をもって上記第二の部分とは反対方向に長手方向に伸びる第三の部分と、上記第三の部分に隣接して上記第二の傾斜角をもって上記第三の部分とは反対方向に長手方向に伸びる第四の部分とを含むことを特徴とする、請求項１８記載のシステム。
【請求項２０】
少なくとも一つのベルト上の遷移点が曲線状であることを特徴とする、請求項１７記載のシステム。
【請求項２１】
少なくとも一つのベルト上の溝は、隣接する溝が隣接する溝の間の長手方向位置の反対側にあるように離間されていることを特徴とする、請求項１７記載のシステム。
【請求項２２】
全ての溝の全ての部分が、長手方向の位置に関して全ての隣接する溝の全ての部分とは反対側にあることを特徴とする、請求項２１記載のエレベーターベルト。
【国際調査報告】
2006520728.tif 000010